(57)【要約】      （修正有）【課題】別個の媒体を使用することなく直接結合を行うことができ、２つのモジュール間を効果的に封止することができる直接結合コネクタアセンブリを提供する。【解決手段】雌コネクタ１２は電子モジュールＭ１．Ｍ２に結合するように構成されている雌ボルト孔１２１ａを含む雌コネクタ本体１２１と、雌コネクタ本体を貫通するように各々構成されている複数の雌タップ１２９と、雌コネクタに結合する対応コネクタ１１の少なくとも一部に接触するように構成されている内側シール１２７と、雌コネクタ本体に設けられている結合ナット１２０と、雌突起の外壁に挿入されるように構成されている雌Ｏリングとを含む。【選択図】図３
2019079800.tif 000002
【特許請求の範囲】
【請求項１】
プリント回路基板（ＰＣＢ）を備えた電子モジュールに取り付け可能な雌コネクタであって、
前記電子モジュールに結合するように構成されている雌ボルト孔を含む雌フランジ、および前記雌フランジから突出するように構成されている雌突起を含む雌コネクタ本体と、
前記雌コネクタ本体を貫通し、前記ＰＣＢに接続可能であるように構成されているピン、および前記ピンの端部に接続するように構成されているレセプタを、各々含む複数の雌タップと、
前記雌突起に設けられ、前記雌コネクタに結合する対応コネクタの少なくとも一部に接触するように構成されている内側シールと、
前記雌コネクタ本体に設けられている結合ナットと、
前記雌突起の外壁に挿入されるように構成されている、前記雌突起を囲むリング状の雌Ｏリングとを含む雌コネクタ。
【請求項２】
前記雌コネクタ本体の中央に設けられ、前記結合ナットを支持するように構成されている支持体をさらに含み、
前記雌突起は、
前記支持体から離れ、前記支持体の外面を囲む形状の、前記雌フランジから突出するように構成されている内側雌突起と、
前記内側雌突起から離れ、前記内側雌突起を囲むように構成されている外側雌突起とを含み、
前記内側シールは、前記内側雌突起と前記外側雌突起との間に設けられている、請求項１に記載の雌コネクタ。
【請求項３】
前記内側シールは、
前記対応コネクタの一端に接触するように構成されている第１のシール部分と、
前記第１のシール部分から垂直に延び、前記対応コネクタの内壁に接触するように構成されている第２のシール部分とを含む、請求項２に記載の雌コネクタ。
【請求項４】
前記雌コネクタ本体に挿入され、弾性により前記複数の雌タップを支持するように構成されているファミリーシールと、
前記雌コネクタ本体に挿入され、前記ファミリーシールを支持し、前記複数の雌タップを支持するように構成されているシールホルダとをさらに含む、請求項１に記載の雌コネクタ。
【請求項５】
前記雌コネクタ本体から突出し、前記ファミリーシールを支持して前記雌コネクタ本体と前記ファミリーシールとの間に空間を確保するように構成されている支持ロッドをさらに含む、請求項４に記載の雌コネクタ。
【請求項６】
前記雌突起と前記ファミリーシールとの間の空間に設けられている雌注封部をさらに含む、請求項４に記載の雌コネクタ。
【請求項７】
前記雌コネクタ本体は、前記ファミリーシールに基づいて前記シールホルダに面するように設けられ、前記ファミリーシールに垂直な方向で前記雌コネクタ本体を貫通するように構成されている複数の本体孔を含む、請求項６に記載の雌コネクタ。
【請求項８】
プリント回路基板（ＰＣＢ）を備えた電子モジュールに取り付け可能な雄コネクタであって、
前記電子モジュールに結合するように構成されている雄ボルト孔を含む雄フランジ、および前記雄フランジから突出するように構成されている雄突起を含む雄コネクタ本体と、
前記雄コネクタ本体を貫通し、前記ＰＣＢに接続可能であるように構成されている複数の雄タップと、
前記雄コネクタ本体に定位置で回転可能に接続するように構成されている結合ボルトと、
前記雄フランジに挿入されるように構成されている、前記雄突起を囲むリング状の雄Ｏリングとを含む雄コネクタ。
【請求項９】
前記結合ボルトを囲むように構成されている結合Ｏリングをさらに含み、
前記結合ボルトは、長さ方向に垂直な方向に凹み、前記結合Ｏリングを支持するように構成されている結合溝を含む、請求項８に記載の雄コネクタ。
【請求項１０】
前記雄フランジから突出するように構成され、前記雄フランジから離れるにつれて細くなる端部を有する雄本体突起をさらに含む、請求項８に記載の雄コネクタ。
【請求項１１】
前記雄突起は、
前記結合ボルトから離れ、前記雄フランジから突出するように構成されている内側雄突起と、
前記内側雄突起から離れ、前記内側雄突起を囲むように構成されている外側雄突起とを含む、請求項８に記載の雄コネクタ。
【請求項１２】
前記結合ボルトが前記雄コネクタ本体に対して相対的に第１の方向にずれることを防ぐように構成されているずれ防止装置をさらに含み、
前記結合ボルトは、前記結合ボルトの外壁に形成され、前記雄コネクタ本体を押圧し、前記結合ボルトが前記第１の方向と反対の第２の方向にずれることを防ぐように構成されている押圧部を含む、請求項８に記載の雄コネクタ。
【請求項１３】
前記雄突起が前記雄フランジから突出する方向と反対の方向に前記雄フランジから突出するように各々構成されている複数の結合ロッドをさらに含み、前記複数の結合ロッドは、前記複数の雄タップとそれぞれ一直線になり、互いに異なる直径を有するように構成されている、請求項８に記載の雄コネクタ。
【請求項１４】
第１のプリント回路基板
（ＰＣＢ）を備えた第１のモジュールに取り付け可能な雄コネクタと、第２のＰＣＢを備えた第２のモジュールに取り付け可能な雌コネクタとを含む直接結合コネクタアセンブリであって、
前記雄コネクタは、雄フランジ、および前記雄フランジから突出するように構成されている雄突起を含む雄コネクタ本体と、前記雄コネクタ本体を貫通し、前記第１のＰＣＢに接続可能であるように構成されている複数の雄タップと、前記雄コネクタに定位置で回転可能に接続するように構成されている結合ボルトと、前記雄フランジに挿入されるように構成されている雄Ｏリングとを有し、
前記雌コネクタは、雌フランジ、および前記雌フランジから突出するように構成されている雌突起を含む雌コネクタ本体と、前記雌コネクタ本体を貫通し、前記第２のＰＣＢに接続可能であるように構成されているピン、および前記ピンの端部に接続するように構成されているレセプタを、各々含む複数の雌タップと、前記雌突起に設けられ、前記雄コネクタの少なくとも一部に接触するように構成されている内側シールと、前記雌コネクタ本体に設けられている結合ナットと、前記雌突起の外壁に挿入されるように構成されている雌Ｏリングとを含む前記雌コネクタとを有する、直接結合コネクタアセンブリ。
【請求項１５】
前記内側シールは、
前記雄突起に接触するように構成されている第１のシール部分と、
前記第１のシール部分から垂直に延び、前記雄突起の内壁に接触するように構成されている第２のシール部分とを含む、請求項１４に記載の直接結合コネクタアセンブリ。
【請求項１６】
前記雌フランジの中央から突出し、前記結合ナットを支持するように構成されている支持体をさらに含み、
前記雌突起は、
前記支持体から離れ、前記支持体の外面を囲む形状の、前記雌フランジから突出するように構成されている内側雌突起と、
前記内側雌突起から離れ、前記内側雌突起を囲むように構成されている外側雌突起とを含み、
前記雄突起は、
前記結合ボルトから離れ、前記雄フランジから突出するように構成され、前記内側雌突起の内面に挿入されるように構成されている内側雄突起と、
前記内側雌突起と前記外側雌突起との間に挿入可能であるように構成されている外側雄突起とを含む、請求項１４に記載の直接結合コネクタアセンブリ。
【請求項１７】
前記雌コネクタは、
前記雌コネクタ本体に挿入され、弾性により前記複数の雌タップを支持するように構成されているファミリーシールと、
前記雌コネクタ本体に挿入され、前記ファミリーシールを支持し、前記複数の雌タップを支持するように構成されているシールホルダとを含む、請求項１４に記載の直接結合コネクタアセンブリ。
【請求項１８】
前記雌コネクタは、前記雌突起と前記ファミリーシールとの間の空間に設けられている雌注封部をさらに含む、請求項１７に記載の直接結合コネクタアセンブリ。
【請求項１９】
前記雌コネクタ本体は、前記ファミリーシールに基づいて前記シールホルダに面するように設けられ、前記ファミリーシールに垂直な方向で前記雌コネクタ本体を貫通するように構成されている複数の本体孔を含む、請求項１８に記載の直接結合コネクタアセンブリ。
【請求項２０】
前記雄コネクタは、前記結合ボルトを囲むように構成されている結合Ｏリングをさらに含み、
前記結合ボルトは、長さ方向に垂直な方向に凹み、前記結合Ｏリングを支持するように構成されている結合溝を含む、請求項１４に記載の直接結合コネクタアセンブリ。
【請求項２１】
前記雄コネクタは、前記結合ボルトが前記雄コネクタ本体に対して相対的に第１の方向にずれることを防ぐように構成されているずれ防止装置をさらに含み、
前記結合ボルトは、前記結合ボルトの外壁に形成され、前記雄コネクタ本体を押し、前記結合ボルトが前記第１の方向と反対の第２の方向にずれることを防ぐように構成されている押圧部を含む、請求項１４に記載の直接結合コネクタアセンブリ。
【請求項２２】
前記雄コネクタおよび前記雌コネクタの一方は、他方のコネクタに挿入されるように構成されている複数のリブを含み、
前記複数のリブの少なくとも一部において、隣接するリブ間の間隔が別の隣接するリブ間の間隔と異なっている、請求項１６に記載の直接結合コネクタアセンブリ。
【発明の詳細な説明】
【技術分野】
【０００１】
関連出願の相互参照
本出願は、その開示があらゆる目的のために参照により本明細書に組み込まれている、韓国特許庁に２０１７年１０月２５日に出願された韓国特許出願第１０−２０１７−０１３９０３９号および２０１８年９月７日に出願された韓国特許出願第１０−２０１８−０１０７２４２号の優先権を主張する。
【０００２】
１つまたは複数の例示的な実施形態は、直接結合コネクタアセンブリに関する。
【背景技術】
【０００３】
コネクタとは、電気接続を選択的に行う、すなわち、選択的に電気を接続または切断することのできる電気部品の一種を指す。コネクタは、異なる２つのモジュールを接続することができる。例えば、コネクタは、車両のサスペンションおよび車輪に取り付けられ、サスペンションと車輪とを電気的に接続することができる。コネクタには、外部材料が２つのモジュール間に入り込むことを防ぐ、またはモジュールに供給された流体が外部に漏れることを防ぐための封止構造が必要となり得る。例えば、車両用コネクタは、サスペンションに供給されたオイルが外部に漏れることを防ぐための封止構造内に位置する必要があり、かつ運転中に流体が車輪を通って流入することを防ぐための封止構造内に位置する必要がある。
【発明の概要】
【発明が解決しようとする課題】
【０００４】
少なくとも１つの例示的な実施形態の目的は、別個の媒体を使用することなく直接結合を行うことができ、２つのモジュール間を効果的に封止することができる直接結合コネクタアセンブリを提供することにある。
【課題を解決するための手段】
【０００５】
少なくとも１つの例示的な実施形態の態様によれば、プリント回路基板（ＰＣＢ）を備えた電子モジュールに取り付け可能な雌コネクタであって、電子モジュールに結合するように構成されている雌ボルト孔を含む雌フランジ、および雌フランジから突出するように構成されている雌突起を含む雌コネクタ本体と、雌コネクタ本体を貫通し、ＰＣＢに接続可能であるように構成されているピン、およびピンの端部に接続するように構成されているレセプタを、各々含む複数の雌タップと、雌突起に設けられ、雌コネクタに結合する対応コネクタの少なくとも一部に接触するように構成されている内側シールと、雌コネクタ本体に設けられている結合ナットと、雌突起の外壁に挿入されるように構成されている、雌突起を囲むリング状の雌Ｏリングとを含む雌コネクタが提供される。
【０００６】
雌コネクタは、雌コネクタ本体の中央に設けられ、結合ナットを支持するように構成されている支持体をさらに含むことができる。
【０００７】
雌突起は、支持体から離れ、支持体の外面を囲む形状の、雌フランジから突出するように構成されている内側雌突起と、内側雌突起から離れ、内側雌突起を囲むように構成されている外側雌突起とを含むことができる。内側シールを、内側雌突起と外側雌突起との間に設けることができる。
【０００８】
内側シールは、対応コネクタの一端に接触するように構成されている第１のシール部分と、第１のシール部分から垂直に延び、対応コネクタの内壁に接触するように構成されている第２のシール部分とを含むことができる。
【０００９】
雌コネクタは、雌コネクタ本体に挿入され、弾性により複数の雌タップを支持するように構成されているファミリーシールと、雌コネクタ本体に挿入され、ファミリーシールを支持し、複数の雌タップを支持するように構成されているシールホルダとをさらに含むことができる。
【００１０】
雌コネクタは、雌コネクタ本体から突出し、ファミリーシールを支持して雌コネクタ本体とファミリーシールとの間に空間を確保するように構成されている支持ロッドをさらに含むことができる。
【００１１】
雌コネクタは、雌突起とファミリーシールとの間の空間に設けられている雌注封部をさらに含むことができる。
【００１２】
雌コネクタ本体は、ファミリーシールに基づいてシールホルダに面するように設けられ、ファミリーシールに垂直な方向で雌コネクタ本体を貫通するように構成されている複数の本体孔を含むことができる。
【００１３】
少なくとも１つの例示的な実施形態の態様によれば、ＰＣＢを備えた電子モジュールに取り付け可能な雄コネクタであって、電子モジュールに結合するように構成されている雄ボルト孔を含む雄フランジ、および雄フランジから突出するように構成されている雄突起を含む雄コネクタ本体と、雄コネクタ本体を貫通し、ＰＣＢに接続可能であるように構成されている複数の雄タップと、雄コネクタ本体に定位置で回転可能に接続するように構成されている結合ボルトと、雄フランジに挿入されるように構成されている、雄突起を囲むリング状の雄Ｏリングとを含む雄コネクタが提供される。
【００１４】
雄コネクタは、結合ボルトを囲むように構成されている結合Ｏリングをさらに含むことができる。
【００１５】
結合ボルトは、長さ方向に垂直な方向に凹み、結合Ｏリングを支持するように構成されている結合溝を含むことができる。
【００１６】
雄コネクタは、雄フランジから突出するように構成され、雄フランジから離れるにつれて細くなる端部を有する雄本体突起をさらに含むことができる。
【００１７】
雄突起は、結合ボルトから離れ、雄フランジから突出するように構成されている内側雄突起と、内側雄突起から離れ、内側雄突起を囲むように構成されている外側雄突起とを含むことができる。
【００１８】
雄コネクタは、結合ボルトが雄コネクタ本体に対して相対的に第１の方向にずれることを防ぐように構成されているずれ防止装置をさらに含むことができる。
【００１９】
結合ボルトは、結合ボルトの外壁に形成され、雄コネクタ本体を押圧し、結合ボルトが第１の方向と反対の第２の方向にずれることを防ぐように構成されている押圧部を含むことができる。
【００２０】
雄コネクタは、雄突起が雄フランジから突出する方向と反対の方向に雄フランジから突出するように各々構成されている複数の結合ロッドをさらに含むことができ、複数の結合ロッドは、複数の雄タップとそれぞれ一直線になり、互いに異なる直径を有するように構成されている。
【００２１】
少なくとも１つの例示的な実施形態の態様によれば、第１のＰＣＢを備えた第１のモジュールに取り付け可能な雄コネクタと、第２のＰＣＢを備えた第２のモジュールに取り付け可能な雌コネクタとを含む直接結合コネクタアセンブリであって、前記雄コネクタは、雄フランジ、および雄フランジから突出するように構成されている雄突起を含む雄コネクタ本体と、雄コネクタ本体を貫通し、第１のＰＣＢに接続可能であるように構成されている複数の雄タップと、雄コネクタに定位置で回転可能に接続するように構成されている結合ボルトと、雄フランジに挿入されるように構成されている雄Ｏリングとを有し、前記雌コネクタは、雌フランジ、および雌フランジから突出するように構成されている雌突起を含む雌コネクタ本体と、雌コネクタ本体を貫通し、第２のＰＣＢに接続可能であるように構成されているピン、およびピンの端部に接続するように構成されているレセプタを、各々含む複数の雌タップと、雌突起に設けられ、雄コネクタの少なくとも一部に接触するように構成されている内側シールと、雌コネクタ本体に設けられている結合ナットと、雌突起の外壁に挿入されるように構成されている雌Ｏリングとを有する、直接結合コネクタアセンブリが提供される。
【００２２】
内側シールは、雄突起に接触するように構成されている第１のシール部分と、第１のシール部分から垂直に延び、雄突起の内壁に接触するように構成されている第２のシール部分とを含むことができる。
【００２３】
直接結合コネクタアセンブリは、雌フランジの中央から突出し、結合ナットを支持するように構成されている支持体をさらに含むことができる。
【００２４】
雌突起は、支持体から離れ、支持体の外面を囲む形状の、雌フランジから突出するように構成されている内側雌突起と、内側雌突起から離れ、内側雌突起を囲むように構成されている外側雌突起とを含むことができる。
【００２５】
雄突起は、結合ボルトから離れ、雄フランジから突出するように構成され、内側雌突起の内面に挿入されるように構成されている内側雄突起と、内側雌突起と外側雌突起との間に挿入可能であるように構成されている外側雄突起とを含むことができる。
【００２６】
雌コネクタは、雌コネクタ本体に挿入され、弾性により複数の雌タップを支持するように構成されているファミリーシールと、雌コネクタ本体に挿入され、ファミリーシールを支持し、複数の雌タップを支持するように構成されているシールホルダとを含むことができる。
【００２７】
雌コネクタは、雌突起とファミリーシールとの間の空間に設けられている雌注封部をさらに含むことができる。
【００２８】
雌コネクタ本体は、ファミリーシールに基づいてシールホルダに面するように設けられ、ファミリーシールに垂直な方向で雌コネクタ本体を貫通するように構成されている複数の本体孔を含むことができる。
【００２９】
雄コネクタは、結合ボルトを囲むように構成されている結合Ｏリングをさらに含むことができる。
【００３０】
結合ボルトは、長さ方向に垂直な方向に凹み、結合Ｏリングを支持するように構成されている結合溝を含むことができる。
【００３１】
雄コネクタは、結合ボルトが雄コネクタ本体に対して相対的に第１の方向にずれることを防ぐように構成されているずれ防止装置をさらに含むことができる。
【００３２】
結合ボルトは、結合ボルトの外壁に形成され、雄コネクタ本体を押し、結合ボルトが第１の方向と反対の第２の方向にずれることを防ぐように構成されている押圧部を含むことができる。
【００３３】
雄コネクタおよび雌コネクタの一方は、他方のコネクタに挿入されるように構成されている複数のリブを含むことができる。
【００３４】
複数のリブの少なくとも一部において、隣接するリブ間の間隔が別の隣接するリブ間の間隔と異なっていてもよい。
【００３５】
例示的な実施形態によれば、直接結合コネクタアセンブリは、１つのモジュールに取り付けられている雄コネクタが、別のモジュールに取り付けられている雌コネクタに、別個の媒体を使用することなく直接結合することができるように、２つのモジュールを電気的に接続することができる。
【００３６】
また、例示的な実施形態によれば、直接結合コネクタアセンブリは、雄タップと雌タップとが正確に位置合わせされた状態で、コネクタ本体から突出するリブ、および雄タップと比べて雌コネクタに最初に接触する結合ボルトなどにより、雄タップと雌タップとを接続することができる。
【００３７】
また、例示的な実施形態によれば、直接結合コネクタアセンブリは、複数のシールを受けるための空間を提供することができ、モジュールとコネクタとの間隔およびコネクタ間の間隔を封止することができる。
【００３８】
また、例示的な実施形態によれば、直接結合コネクタアセンブリは、内側シールを用いて、雄コネクタと雌コネクタとの間で伝わる振動の大きさを小さくすることにより、コネクタの耐久性を高めることができる。
【００３９】
また、例示的な実施形態によれば、ユーザは、直接結合コネクタアセンブリの雌コネクタに形成されている本体孔を通して、注封材料が適切に注入されているかどうかを観察することができる。
【００４０】
例示的な実施形態のさらなる態様が、以下の説明において部分的に述べられ、説明から部分的に明らかになり、または開示の実施により理解され得る。
【００４１】
本発明のこれらおよび／またはその他の態様、特徴、および利点は、添付図面と共に説明される以下の例示的な実施形態の説明から明らかになり、より容易に理解されるだろう。
【図面の簡単な説明】
【００４２】
【図１】例示的な実施形態による直接結合コネクタアセンブリの斜視図である。
【図２】例示的な実施形態による直接結合コネクタアセンブリの分解斜視図である。
【図３】例示的な実施形態による直接結合コネクタアセンブリの断面図である。
【図４】例示的な実施形態による直接結合コネクタアセンブリの封止構造を示す断面図である。
【図５】例示的な実施形態による雌タップの分解斜視図である。
【図６】例示的な実施形態による雌コネクタの底面図である。
【図７】例示的な実施形態による、ファミリーシールとシールホルダとが離れている状態を示す雌コネクタの断面図である。
【図８】例示的な実施形態による雌コネクタの断面図である。
【図９】例示的な実施形態による直接結合コネクタアセンブリの断面図である。
【図１０】例示的な実施形態による直接結合コネクタアセンブリの断面図である。
【図１１】例示的な実施形態による直接結合コネクタアセンブリの断面図である。
【図１２】例示的な実施形態による直接結合コネクタアセンブリの断面図である。
【図１３】例示的な実施形態による直接結合コネクタアセンブリの部分拡大断面図である。
【発明を実施するための形態】
【００４３】
以下で、添付図面を参照しながら、いくつかの例示的な実施形態について詳細に説明する。図中の要素に割り当てられた参照数字に関し、同一の要素は、異なる図面に示されていても、可能な限り同一の参照数字により示されることに留意されたい。また、実施形態の説明において、周知の関連する構造または機能の詳細な説明は、そのような説明が本開示の曖昧な解釈を生じさせると判断されるときには省略される。
【００４４】
加えて、第１の、第２の、Ａ、Ｂ、（ａ）、（ｂ）などの用語を、本明細書で部品を説明するために使用することができる。これらの用語の各々は、対応する部品の本質、順序、または順番を定義するために使用されるのではなく、対応する部品を他の部品から区別するためのみに使用される。本明細書で、１つの部品が別の部品に「接続される」、「結合される」、または「接合される」と記載される場合、第１の部品を第２の部品に直接接続、結合、または接合してもよいが、第３の部品を第１の部品と第２の部品との間に「接続する」、「結合する」、または「接合する」ことができることに留意されたい。
【００４５】
１つの例示的な実施形態に含まれる部品と共通の機能を有する部品は、別の例示的な実施形態において同様の名称を用いて説明される。特に記載のない限り、１つの例示的な実施形態でなされる説明を別の例示的な実施形態に適用することができ、重複する範囲内の詳細な説明は省略される。
【００４６】
図１は、例示的な実施形態による直接結合コネクタアセンブリの斜視図、図２は、例示的な実施形態による直接結合コネクタアセンブリの分解斜視図、図３は、例示的な実施形態による直接結合コネクタアセンブリの断面図、図４は、例示的な実施形態による直接結合コネクタアセンブリの封止構造を示す断面図、図５は、例示的な実施形態による雌タップの分解斜視図である。
【００４７】
図１〜図５を参照すると、直接結合コネクタアセンブリ１は、２つのモジュール、例えば、第１のモジュールＭ１と第２のモジュールＭ２との間で直接電気接続を行うことができる。直接結合コネクタアセンブリ１は、第１のモジュールＭ１と第２のモジュールＭ２とにそれぞれ取り付け可能な雄コネクタ１１と雌コネクタ１２とを含む。ここで、一方のコネクタに結合する別のコネクタを、２つのコネクタ、例えば、雄コネクタ１１および雌コネクタ１２のうちの一方のコネクタに基づいて「対応コネクタ」と呼ぶことができる。
上記の構造によれば、操作者は、２つのモジュール、例えば、第１のモジュールＭ１と第２のモジュールＭ２との物理的および電気的な接続を、２つのコネクタ、例えば、第１のモジュールＭ１および第２のモジュールＭ２にそれぞれ組み付けられた雄コネクタ１１および雌コネクタ１２を使用して、第１のモジュールＭ１と第２のモジュールＭ２との中間ワイヤ結合動作を用いることなく行うことができる。すなわち、直接結合コネクタアセンブリ１は、接続用の別個のモジュールを必要としない。上記の動作により、直接結合コネクタアセンブリ１は、２つのモジュール、例えば、第１のモジュールＭ１と第２のモジュールＭ２とを物理的および電気的に接続することができ、これらを外側から封止することもできる。直接結合コネクタアセンブリ１は、雄コネクタ１１と雌コネクタ１２とを含むことができる。
【００４８】
直接結合コネクタアセンブリ１は、流体が、雄コネクタ１１を取り付けた第１のモジュールＭ１と雌コネクタ１２を取り付けた第２のモジュールＭ２とに流入することを防ぐことができる。また、直接結合コネクタアセンブリ１は、第１のモジュールＭ１および第２のモジュールＭ２に供給された流体が外部に流出することを防ぐことができる。
【００４９】
結合ボルト１１０に設けられている結合ＯリングＲ１は、結合ボルト１１０を囲む形状であってよい。結合ボルト１１０は、長さ方向に垂直な方向に凹み、結合ＯリングＲ１を支持するように構成されている結合溝を含むことができる。結合ＯリングＲ１は、雄コネクタ１１と結合ボルト１１０との間を封止することにより、流体が外部から第１のモジュールＭ１に流入することを防ぐことができる。
【００５０】
雄コネクタ１１の雄コネクタ本体１１１に設けられている雄ＯリングＲ２は、雄コネクタ本体１１１と第１のモジュールＭ１との間を封止することにより、流体が雄コネクタ１１と雌コネクタ１２との間の空間を通って第１のモジュールＭ１に流入することを防ぐことができる。例えば、雄ＯリングＲ２の少なくとも一部が雄コネクタ本体１１１の雄フランジ１１１１に挿入されている状態で、雄ＯリングＲ２は支持されることができる。
【００５１】
雌コネクタ１２の雌コネクタ本体１２１の外周に沿って設けられている雌ＯリングＲ３は、雌コネクタ本体１２１と第２のモジュールＭ２との間を封止することにより、流体が雄コネクタ１１と雌コネクタ１２との間の空間を通って第２のモジュールＭ２に流入することを防ぐことができる。例えば、雌ＯリングＲ３の少なくとも一部が雌コネクタ本体１２１の雌突起１２１２の外壁に挿入されている状態で、雌ＯリングＲ３は支持されることができる。
【００５２】
内側シール１２７は、流体が外部から雌コネクタ１２に流入することを防ぐことができる。
【００５３】
第１のモジュールＭ１および第２のモジュールＭ２は、電気接続を必要とし得る。第１のモジュールＭ１は第１のプリント回路基板（ＰＣＢ）Ｂ１を含むことができ、第２のモジュールＭ２は第２のＰＣＢ  Ｂ２を含むことができる。直接結合コネクタアセンブリ１は、第１のＰＣＢ  Ｂ１と第２のＰＣＢ  Ｂ２とを接続することができる。例えば、第１のモジュールＭ１は、車両のトランスミッション制御装置（ＴＣＵ）モジュールであってよく、第２のモジュールＭ２は、第１のモジュールＭ１に結合する電子モジュール（Ｅモジュール）であってよい。一般に、第１のモジュールＭ１および第２のモジュールＭ２を電子モジュールと呼ぶことができる。
【００５４】
雄コネクタ１１は雌コネクタ１２に結合することができる。雄コネクタ１１は、第１のＰＣＢ  Ｂ１を含む第１のモジュールＭ１に電気的および物理的に接続することができる。同様に、雌コネクタ１２は、第２のＰＣＢ  Ｂ２を含む第２のモジュールＭ２に電気的および物理的に接続することができる。雄コネクタ１１と雌コネクタ１２との電気的および物理的接続によって、２つの異なるモジュールを電気的に接続することができる。雄コネクタ１１は、雄コネクタ本体１１１、ずれ防止装置１１５、雄本体突起１１６、複数の結合ロッド１１７ａ、１１７ｂ、結合ボルト１１０、複数のリブ１１８、および雄タップ１１９を含むことができる。
【００５５】
雄コネクタ本体１１１は雌コネクタ１２に係合することができる。雄コネクタ本体１１１は、雌コネクタ１２に沿って一方向に摺動することができる。雄コネクタ本体１１１は雄タップ１１９を支持することができる。雄コネクタ１１が雌コネクタ１２との結合方向で雌コネクタ１２に面すると、雄タップ１１９は、雌コネクタ１２に設けられている雌タップ１２９と一直線になることができる。雄コネクタ１１と雌コネクタ１２とを結合するために、雄コネクタ本体１１１は、雄コネクタ１１が雌コネクタ１２に面している状態に基づいて、雄タップ１１９よりも遠くまで雌コネクタ１２に向かって突出することができる。この場合、雄コネクタ本体１１１において雄タップ１１９を囲む部分を、最初に雄タップ１１９ではなく雌コネクタ１２に挿入することができる。上記の構造によって、雄コネクタ本体１１１は、雄タップ１１９が間違った位置に挿入されることにより損傷を受けることを防ぐことができる。雄コネクタ本体１１１は、雄フランジ１１１１と雄突起１１１２とを含むことができる。
【００５６】
雄フランジ１１１１は、雄コネクタ１１と第１のモジュールＭ１とを結合するように構成されている複数の雄ボルト孔１１１ａを含むことができる。例えば、第１のボルトＣ１は、雄ボルト孔１１１ａと第１のモジュールＭ１とのねじ接続により、雄コネクタ１１を第１のモジュールＭ１に締結することができる。雄フランジ１１１１は雄ＯリングＲ２を支持することができる。雄ＯリングＲ２を、雌コネクタ１２に面する雄フランジ１１１１の一面に位置決めすることができる。
【００５７】
雄突起１１１２は、雄フランジ１１１１から突出することができ、雌コネクタ１２に挿入することができる。雄突起１１１２は、内側雄突起１１１２ａと外側雄突起１１１２ｂとを含むことができる。内側雄突起１１１２ａを、雌コネクタ本体１２１の内側雌突起１２１２ａの内面に挿入することができる。すなわち、内側雄突起１１１２ａを、内側雌突起１２１２ａと結合ナット１２０との間に挿入することができる。外側雄突起１１１２ｂを、雌コネクタ本体１２１の内側雌突起１２１２ａと外側雌突起１２１２ｂとの間に挿入することができる。
【００５８】
ずれ防止装置１１５は、結合ボルト１１０が第１の方向、例えば、図４の上方にずれることを防ぐことができる。ずれ防止装置１１５を、結合ボルト１１０のねじ部と頭部との間で凹んだ溝に挿入することができる。例えば、簡単に製造するために、ずれ防止装置１１５は、図４に示す雄コネクタ１１と雌コネクタ１２とが互いに結合している状態に基づいて、結合ナット１２０と雄コネクタ本体１１１の底面との間の空間内にあってもよい。これとは異なり、ずれ防止装置１１５を雄コネクタ本体１１１に形成してもよい。
例えば、図４を参照し、ずれ防止装置１１５は、雄コネクタ本体１１１とは別個の部品として設けられたワッシャであってよい。結合ボルト１１０は、結合ボルト１１０の外壁に形成され、雄コネクタ本体１１１を押すように構成され、結合ボルト１１０が第１の方向と反対の第２の方向、例えば、図４の下方にずれることを防ぐように構成されている押圧部１８１を含むことができる。例えば、押圧部１８１は、雄コネクタ本体１１１に形成されている段付き部で受けることができ、結合ボルト１１０が第２の方向にずれることを防ぐことができる。ずれ防止装置１１５および押圧部１８１は、結合ボルト１１０が雄コネクタ本体１１１に対して定位置で回転可能であるように補助することができる。
【００５９】
雄本体突起１１６は、内側雄突起１１１２ａと外側雄突起１１１２ｂとの間で雄フランジ１１１１から突出することができ、内側雌突起１２１２ａに形成されている溝に挿入することができる。雄本体突起１１６は雄タップ１１９と雌タップ１２９とを、それらが位置合わせされた状態で互いに結合するように補助することができる。雄フランジ１１１１から最も離れた雄本体突起１１６の端部は、雄フランジ１１１１から離れるにつれて細くなる形状を有することができる。上記の形状によれば、雄本体突起１１６が内側雌突起１２１２ａに正確に位置合わせされていないにもかかわらず、雄本体突起１１６を内側雌突起１２１２ａに容易に挿入することができる。
【００６０】
外側雄突起１１１２ｂは、一次的に雄タップ１１９の挿入方向を案内することができ、内側雄突起１１１２ａは、二次的に雄タップ１１９の挿入方向を案内することができ、雄本体突起１１６は、三次的に雄タップ１１９の挿入方向を案内することができる。上記の構造によって、雄コネクタ１１と雌コネクタ１２との結合に応じて雄タップ１１９が雌タップ１２９の端部により変形することを防ぐことができる。
【００６１】
複数の結合ロッド１１７ａ、１１７ｂは雄コネクタ本体１１１から突出することができ、複数の雄タップ１１９と一直線になることができる。例えば、複数の結合ロッド１１７ａ、１１７ｂは、異なる直径を各々有する第１の結合ロッド１１７ａおよび第２の結合ロッド１１７ｂを含むことができる。第１の結合ロッド１１７ａの直径は、第２の結合ロッド１１７ｂの直径より小さくてよい。例えば、雄コネクタ１１に取り付けられている第１のＰＣＢ  Ｂ１は、異なる直径を各々有する孔を含むことができ、第１の結合ロッド１１７ａおよび第２の結合ロッド１１７ｂはこの孔を貫通することができる。複数の結合ロッド１１７ａ、１１７ｂは、第１のＰＣＢ  Ｂ１が雄コネクタ１１に間違って組み付けられることを防ぐことができる。
【００６２】
複数のリブ１１８が、雄コネクタ本体１１１の側壁から突出することができる。例えば、雄コネクタ１１が雌コネクタ１２の内面に挿入されるように構成されるとき、複数のリブ１１８の各々は、雄コネクタ本体１１１の外壁から外方に突出する形状であってよい。雄コネクタ１１が雌コネクタ１２の外面に挿入されるとき、すなわち、雄コネクタ１１が雌コネクタ１２を囲み、雌コネクタ１２に結合するように構成されるとき、複数のリブ１１８は、雄コネクタ本体１１１の内壁から内方に突出することができる。雌コネクタ１２は、複数のリブ１１８をそれぞれ受けるように構成されている複数のリブ受け溝１２８を含むことができる。複数のリブ１１８は、複数のリブ受け溝１２８のそれぞれに沿って摺動することができる。
【００６３】
複数のリブ１１８の少なくとも一部のうち、隣接するリブ間の間隔は、別の隣接するリブ間の間隔と異なっていてもよい。例えば、複数のリブ１１８は、雄コネクタ本体１１１の第１の側壁に形成されている第１のリブ１１８ａおよび第２のリブ１１８ｂと、雄コネクタ本体１１１の第２の側壁に形成されている第３のリブ１１８ｃおよび第４のリブ１１８ｄとを含むことができる。第１のリブ１１８ａと第２のリブ１１８ｂとの間隔は、第３のリブ１１８ｃと第４のリブ１１８ｄとの間隔より大きくても小さくてもよい。上記の構造によって、雄コネクタ１１と雌コネクタ１２とが最初に意図した方向ではない間違った方向に結合することを防ぐことができる。
【００６４】
複数のリブ１１８が雄コネクタ１１に形成される例に基づいて説明したが、これは例として挙げたものである。例えば、雌コネクタ１２は複数のリブを含むことができ、雄コネクタ１１は複数のリブ受け溝を含むことができる。別の例として、雄コネクタ１１は複数のリブおよび複数のリブ受け溝を含むことができ、雌コネクタ１２は複数のリブ受け溝およびそれに対応する複数のリブを含むことができる。
【００６５】
雄タップ１１９を雄コネクタ本体１１１に設けてもよい。雄タップ１１９は雄コネクタ本体１１１を貫通することができる。雄タップ１１９の一端は、第１のモジュールＭ１に設けられている第１のＰＣＢ  Ｂ１に接続することができる。雄タップ１１９は、雌コネクタ１２に設けられている雌タップ１２９に直接結合することができる。複数の雄タップ１１９を設けてもよい。雄タップ１１９は、雄コネクタ本体１１１に接続されている第１のＰＣＢ  Ｂ１に電気的に接続することができ、防水のために、雄コネクタ本体１１１を貫通する部分に注封材料Ｐを注封することができる。
【００６６】
結合ボルト１１０は、雄コネクタ１１に定位置で回転可能に接続することができ、雄コネクタ１１と雌コネクタ１２とを結合することができる。結合ボルト１１０は、雌コネクタ１２の結合ナット１２０とのねじ接続を行うことができる。
【００６７】
以下で、雄コネクタ１１を第１のモジュールＭ１に対して相対的に動かないように締結し、雌コネクタ１２を第２のモジュールＭ２に対して相対的に動かないように締結した状態に基づいて説明する。
【００６８】
結合ボルト１１０が結合ナット１２０との係合により一方向に回転すると、結合ボルト１１０は、結合ナット１２０に沿って雌コネクタ１２に近付くように動くことができ、結合ボルト１１０の押圧部１８１は、雄コネクタ本体１１１に形成されている段付き部を押すことができる。このようにして、雄コネクタ１１と雌コネクタ１２とは互いに結合することができる。上記のプロセス中、雄コネクタ１１および雌コネクタ１２にそれぞれ締結されている第１のモジュールＭ１および第２のモジュールＭ２は、互いに近付くように動くことができ、物理的および電気的に接続することができる。
【００６９】
これに対して、結合ボルト１１０が一方向と反対の方向に回転すると、結合ボルト１１０は、雌コネクタ１２から離れるように動くことができ、結合ボルト１１０の凹んだ溝に挿入されているずれ防止装置１１５が、雄コネクタ本体１１１を持ち上げて雌コネクタ１２から離すことができる。このようにして、雄コネクタ１１と雌コネクタ１２との結合を解放することができる。上記のプロセス中、雄コネクタ１１および雌コネクタ１２にそれぞれ締結されている第１のモジュールＭ１および第２のモジュールＭ２は、互いから離れるように動くことができ、物理的および電気的に切断することができる。
【００７０】
雌コネクタ１２は、雌コネクタ本体１２１、支持体１２２、ファミリーシール１２３、シールホルダ１２４、支持ロッド１２５（図７参照）、突起１２６（図７参照）、内側シール１２７、結合ナット１２０、複数のリブ受け溝１２８、および雌タップ１２９を含むことができる。図６〜図８を参照しながら、シールホルダ１２４、支持ロッド１２５、および突起１２６についてさらに説明する。
【００７１】
雌コネクタ本体１２１は、雄コネクタ本体１１１に係合することができる。雌コネクタ本体１２１は、雄コネクタ本体１１１に沿って一方向に摺動することができる。雌コネクタ本体１２１は雌タップ１２９を支持することができる。雌コネクタ１２と雄コネクタ１１とを結合するために、雌コネクタ本体１２１は、雌コネクタ１２が雄コネクタ１１に面している状態に基づいて、雌タップ１２９よりも遠くまで雄コネクタ１１に向かって突出することができる。雌コネクタ本体１２１は、雌フランジ１２１１、雌突起１２１２、および雌注封部１２１３を含むことができる（図７参照）。
【００７２】
雌フランジ１２１１は、雌コネクタ１２と第２のモジュールＭ２とを結合するように構成されている複数の雌ボルト孔１２１ａを含むことができる。例えば、第２のボルトＣ２は、雌ボルト孔１２１ａと第２のモジュールＭ２とのねじ接続により、雌コネクタ１２を第２のモジュールＭ２に締結することができる。
【００７３】
雌突起１２１２は、雌フランジ１２１１から突出することができ、雄コネクタ１１に挿入することができる。雌突起１２１２は、外壁で雌ＯリングＲ３を支持するための溝を含むことができる。雌突起１２１２は、内側雌突起１２１２ａと外側雌突起１２１２ｂとを含むことができる。
【００７４】
内側雌突起１２１２ａは、支持体１２２から離れることができ、支持体１２２の外面を囲む形状であってよく、雌フランジ１２１１から突出することができる。
【００７５】
外側雌突起１２１２ｂは、内側雌突起１２１２ａから離れることができ、内側雌突起１２１２ａの外面を囲む形状であってよく、雌フランジ１２１１から突出することができる。
【００７６】
図７を参照すると、雌注封部１２１３を、雌突起１２１２とファミリーシール１２３との間の空間に設けることができる。ファミリーシール１２３が雌注封部１２１３の一面を閉じるように設けられている状態で、注封材料Ｐを雌注封部１２１３に注封することができる。
【００７７】
支持体１２２を雌コネクタ本体１２１に設けることができる。例えば、支持体１２２を雌コネクタ本体１２１の中央に設けることができる。支持体１２２は、雌フランジ１２１１の中央から最も高く突出することができ、結合ナット１２０を支持することができ、結合ボルト１１０を案内することができる。内側シール１２７は、雌コネクタ本体１２１に設けられ、雄コネクタ本体１１１の少なくとも一部に接触することができる。例えば、内側シール１２７を、雄コネクタ本体１１１が挿入される雌コネクタ本体１２１の部分に設けてもよい。内側シール１２７はリング状であってよい。
結合ボルト１１０が、結合ナット１２０との係合により回転することによって雌コネクタ１２に向かって動いている間、内側シール１２７を雄コネクタ本体１１１により押して圧縮することができる。内側シール１２７を、弾性を有する可撓性材料から形成することができる。内側シール１２７は、流体が雄コネクタ１１と雌コネクタ１２との間に入り込むことを防ぐことができる。内側シール１２７は、第１のシール部分１２７１と第２のシール部分１２７２とを含むことができる。内側シール１２７を、伸長状態で雌コネクタ本体１２１に挿入することができる。内側シール１２７は、さらに、復元力により雌コネクタ本体１２１に密着することができる。例えば、内側シール１２７は、閉リング状であり得るため、流体があらゆる方向の外部から雌コネクタ本体１２１に流入することを防ぐことができる。
【００７８】
第１のシール部分１２７１は、雄コネクタ１１の一端、例えば、雄突起１１１２に接触することができる。例えば、第１のシール部分１２７１は、外側雄突起１１１２ｂに接触することができる。例えば、第１のシール部分１２７１を、雄コネクタ１１の進行方向に垂直な方向で雌コネクタ本体１２１に設けることができる。第１のシール部分１２７１は、雄コネクタ本体１１１から雌コネクタ本体１２１に伝わる振動、または雌コネクタ本体１２１から雄コネクタ本体１１１に伝わる振動のうち、結合方向に平行な方向の振動を吸収することができる。
【００７９】
第２のシール部分１２７２は第１のシール部分１２７１から垂直に延びることができ、雄コネクタ１１、例えば、雄突起１１１２の内壁に接触することができる。例えば、第２のシール部分１２７２は、外側雄突起１１１２ｂの内壁に接触することができる。第２のシール部分１２７２を、雌コネクタ本体１２１の一面に沿って設けることができる。雄コネクタ本体１１１が雌コネクタ本体１２１に結合するときに、第２のシール部分１２７２を雄コネクタ本体１１１の内面に設けることができる。第２のシール部分１２７２を、雄コネクタ本体１１１により内方に変形させることができる。第２のシール部分１２７２は、雄コネクタ本体１１１から雌コネクタ本体１２１に伝わる振動、または雌コネクタ本体１２１から雄コネクタ本体１１１に伝わる振動のうち、結合方向に対して交差する方向の振動を吸収することができる。
【００８０】
内側シール１２７の上記の形状は、例としてのみ挙げたものである。例えば、内側シール１２７の断面に基づいて、内側シール１２７の外側部分が、内側シール１２７の内側部分と比べてさらに突出する形状であってよい。あるいは、内側シール１２７の内側部分および外側部分が、内側シール１２７の中央部分と比べてさらに突出する形状であってよい。
【００８１】
複数のリブ受け溝１２８は、複数のリブ１１８をそれぞれ受けることができる。複数のリブ受け溝１２８は、例えば、第１のリブ受け溝１２８ａ、第２のリブ受け溝１２８ｂ、第３のリブ受け溝１２８ｃ、および第４のリブ受け溝１２８ｄを含むことができる。第１のリブ受け溝１２８ａと第２のリブ受け溝１２８ｂとの間隔は、第３のリブ受け溝１２８ｃと第４のリブ受け溝１２８ｄとの間隔より大きくてもよい。
【００８２】
雌タップ１２９を雌コネクタ本体１２１に設けることができる。雌タップ１２９は雌コネクタ本体１２１を貫通することができる。雌タップ１２９の一端は、第２のモジュールＭ２に設けられている第２のＰＣＢ  Ｂ２に接続することができる。雌タップ１２９は、雄コネクタ１１に設けられている雄タップ１１９に直接結合することができる。複数の雌タップ１２９を設けてもよい。雌タップ１２９は、雌コネクタ本体１２１に接続されている第２のＰＣＢ  Ｂ２に電気的に接続することができる。雌タップ１２９は、ピン１２９１とレセプタ１２９２とを含むことができる。
【００８３】
ピン１２９１は細長い棒状であってよい。例えば、雄タップ１１９の両端を、ピンのみを用いて構成することができる。ピン１２９１は、第２のＰＣＢ  Ｂ２に直接接続することができ、雌コネクタ本体１２１により支持されることができる。
【００８４】
レセプタ１２９２は、ピン１２９１の端部に接続することができ、雄タップ１１９の少なくとも一部を受けることができる。例えば、レセプタ１２９２は、雄タップ１１９に接続するように構成されている開口部分１２９２ａと、開口部分１２９２ａから離れるにつれて細くなり、ピン１２９１に締結するように構成されている締結部分１２９２ｂとを含むことができる。締結部分１２９２ｂを、押圧またははんだ付けにより、ピン１２９１に締結することができる。
【００８５】
雌タップ１２９がピン１２９１およびレセプタ１２９２を含み、雄タップ１１９がピンを用いて構成される例に基づいて説明したが、これは例としてのみ挙げたものである。例えば、雄タップ１１９はピンおよびレセプタを含むことができ、雌タップ１２９はピンを含むことができる。
【００８６】
結合ナット１２０は、雌コネクタ本体１２１に設けられ、結合ボルト１１０とのねじ接続を行うことができる。例えば、結合ナット１２０はナットであってよい。
【００８７】
図６は、例示的な実施形態による雌コネクタの底面図であり、図７は、例示的な実施形態による、ファミリーシールとシールホルダとが離れている状態を示す雌コネクタの断面図であり、図８は、例示的な実施形態による雌コネクタの断面図である。
【００８８】
図６〜図８を参照すると、雌コネクタ１２は、雌コネクタ本体１２１、ファミリーシール１２３、シールホルダ１２４、支持ロッド１２５、内側シール１２７、および雌タップ１２９を含むことができる。
【００８９】
ファミリーシール１２３を雌コネクタ本体１２１に挿入することができる。ファミリーシール１２３は弾性を有することができ、雌コネクタ本体１２１への挿入に応じて、ファミリーシール１２３を雌コネクタ本体１２１により押して圧縮することができる。ファミリーシール１２３は、雌タップ１２９を支持するように構成されている複数の孔を含むことができる。複数の孔の断面積は、雌タップ１２９の断面積より小さくてもよい。雌タップ１２９がファミリーシール１２３を貫通すると、ファミリーシール１２３を圧縮することができ、雌タップ１２９をファミリーシール１２３により押すことができる。ファミリーシール１２３は、雌コネクタ本体１２１を封止して、注封材料Ｐが雌コネクタ本体１２１に注入されている間に、注封材料Ｐが外部に漏れることを防ぐことができる。
【００９０】
シールホルダ１２４は、雌コネクタ本体１２１に挿入することができ、ファミリーシール１２３を支持することができる。シールホルダ１２４は、ファミリーシール１２３が雌コネクタ本体１２１から離れることを防ぐことができる。シールホルダ１２４は、雌タップ１２９を支持するように構成されている複数の孔を含むことができる。シールホルダ１２４の断面積は、雌タップ１２９の断面積以上であってよい。シールホルダ１２４を、ファミリーシール１２３の材料と比べて剛性の材料を用いて形成することができる。上記の構造によって、シールホルダ１２４は、雌タップ１２９の位置を正確に位置合わせすることにより、雄タップ１１９とさらに物理的に容易に結合できるように雌タップ１２９を補助することができる。
【００９１】
支持ロッド１２５は、雌コネクタ本体１２１から突出することができ、ファミリーシール１２３を支持することができる。支持ロッド１２５は、雌コネクタ１２が雄コネクタ１１に面している方向と反対の方向で、雌コネクタ本体１２１から突出することができる。すなわち、支持ロッド１２５は、雄コネクタ１１から離れる方向に、雌コネクタ本体１２１から突出することができる。支持ロッド１２５により、ファミリーシール１２３と雌コネクタ本体１２１との間の空間に雌注封部１２１３を設けることができる。注封材料Ｐを雌注封部１２１３に充填することができる。複数の支持ロッド１２５を設けることができる。複数の支持ロッド１２５は互いに離れていてもよい。雌コネクタ本体１２１に注封される注封材料Ｐは、複数の支持ロッド１２５間で浮かんで動くことができる。
【００９２】
突起１２６は、雌コネクタ本体１２１から突出することができ、ファミリーシール１２３に挿入することができる。突起１２６は、例えば、リング状の突起であってよい。突起１２６は、ファミリーシール１２３に挿入することができ、雌コネクタ本体１２１とファミリーシール１２３とのさらに確実な封止を行うことができる。ファミリーシール１２３は、突起１２６の形状に対応する形状の溝を含むことができる。
【００９３】
図９〜図１２は、例示的な実施形態による直接結合コネクタアセンブリの断面図である。図９は、雄コネクタ１１と雌コネクタ１２とが互いに接触していない状態を示し、図１０は、雄コネクタ本体１１１の一部が雌コネクタ本体１２１の一部に接触している状態を示し、図１１は、結合ボルト１１０が結合ナット１２０に受けられている状態を示し、図１２は、結合ボルト１１０が回転し、雄コネクタ１１と雌コネクタ１２とが完全に結合されていることを示す。
【００９４】
図９〜図１２を参照すると、雌コネクタ本体１２１は複数の本体孔１２１１ａを含むことができる。複数の本体孔１２１１ａを、ファミリーシール１２３に基づいてシールホルダ１２４に面するように設けることができ、ファミリーシール１２３に垂直な方向で雌コネクタ本体１２１を貫通するように形成することができる。
【００９５】
複数の本体孔１２１１ａを、例えば、支持体１２２に基づいて支持体１２２の周方向に設けることができる。ユーザは、適量の注封材料が複数の本体孔１２１１ａを通して雌注封部１２１３に充填されているかどうかを確認することができる。例えば、４つの複数の本体孔１２１１ａを、支持体１２２に基づいて支持体１２２の周方向に設けることができる。シールホルダ１２４が雌コネクタ本体１２１に挿入されている状態で、ユーザは、１つまたは複数の本体孔１２１１ａを通して注封材料を雌コネクタ本体１２１に充填しながら、残りの本体孔１２１１ａを観察することができる。十分な量の注封材料が複数の本体孔１２１１ａの各々の下部に充填されると、注封材料は本体孔１２１１ａを通過することができる。ユーザは、注封材料が４つの本体孔１２１１ａを通過するかどうかを最初に確認し、次に注封材料が本体孔１２１１ａに適切に充填されているかどうかを判定することができる。加えて、注封材料は本体孔１２１１ａを越えて流れ、雄コネクタ本体１１１と接触する部分で、雌コネクタ本体１２１の内面に所定厚さを有する緩衝部を形成することにより、雌コネクタ１２の振動を防ぐことができる。
【００９６】
雄コネクタ１１と雌コネクタ１２とは、以下の通り、互いに徐々に結合することができる。
【００９７】
図９を参照すると、外側雄突起１１１２ｂを、外側雌突起１２１２ｂの内面に沿って挿入することができる。このプロセス中、雄タップ１１９と雌タップ１２９とを位置合わせすることができる。ユーザは、外側雄突起１１１２ｂおよび外側雌突起１２１２ｂの形状、例えば、複数のリブ１１８および複数のリブ受け溝１２８（図２）の形状に基づいて、結合方向を容易に認識することができる。外側雄突起１１１２ｂは内側雌突起１２１２ａから離れていてもよい。雄タップ１１９は雌タップ１２９に接近することができる。ここで、雄本体突起１１６は雌コネクタ１２に接触していなくてよい。前述したように、この動作の前に、注封材料の適切な充填を、本体孔１２１１ａを通して確認することができる。図示しないが、雄フランジ１１１１および雌フランジ１２１１を、それぞれ異なるモジュールに取り付けてもよい。
【００９８】
図１０を参照すると、雄本体突起１１６を内側雌突起１２１２ａに挿入することができる。このプロセス中、雄タップ１１９と雌タップ１２９とをさらに正確に位置合わせすることができる。
【００９９】
図１１を参照すると、結合ボルト１１０の端部を結合ナット１２０で受けることができる。このプロセス中、雄タップ１１９と雌タップ１２９とをさらに正確に位置合わせすることができる。
【０１００】
図１２を参照すると、結合ボルト１１０が雄コネクタ１１に対して相対的に回転するときに、雄コネクタ１１と雌コネクタ１２とが互いに結合することができる。結合の進行中、雄タップ１１９を雌タップ１２９に挿入することができる。
【０１０１】
図１３は、例示的な実施形態による直接結合コネクタアセンブリの部分拡大断面図である。図１３に示されない残りの部分は、図３を参照することができる。
【０１０２】
図１３を参照すると、結合ボルト２１０は、外壁から突出するように構成されている押圧部２８１を含むことができる。押圧部２８１は、結合ボルト２１０が一方向、例えば、図１３の下方にずれることを防ぐことができる。例えば、押圧部２８１は、雄コネクタ本体１１１の上面で受けられ、結合ボルト２１０が第２の方向、例えば、図１３の下方にずれることを防ぐことができる。ずれ防止装置１１５および押圧部２８１は、結合ボルト２１０が雄コネクタ本体１１１に対して定位置で回転可能であるように、結合ボルト２１０を補助することができる。
【０１０３】
いくつかの例示的な実施形態について前述した。それにもかかわらず、これらの例示的な実施形態に様々な修正を行ってもよいことを理解されたい。例えば、説明した技法を異なる順序で実行する場合、ならびに／または、説明したシステム、構成、デバイス、もしくは回路の部品を異なる方法で組み合わせる、および／もしくは他の部品もしくはその等価物に置き換えるかこれを追加する場合でも、適切な結果を達成することができる。したがって、他の実施は特許請求の範囲に含まれる。
【図１】
2019079800.tif 000003
【図２】
2019079800.tif 000004
【図３】
2019079800.tif 000005
【図４】
2019079800.tif 000006
【図５】
2019079800.tif 000007
【図６】
2019079800.tif 000008
【図７】
2019079800.tif 000009
【図８】
2019079800.tif 000010
【図９】
2019079800.tif 000011
【図１０】
2019079800.tif 000012
【図１１】
2019079800.tif 000013
【図１２】
2019079800.tif 000014
【図１３】
2019079800.tif 000015
【外国語明細書】
2019079800000001.pdf